(57)【要約】【課題】  壁面に外壁下地部材と胴縁とを介して外壁板を取り付ける施工に際し、施工効率よく、施工性、外壁板の留め付け安定性に優れた外壁下地部材を提供すること。【解決手段】  建築物の壁面８の前面に配された断熱材を介して、胴縁６，６’と留め付け金具Ａ，Ａ，Ａ’，Ａ’とによって、窯業系サイディング７，７’およびその同質出隅材７１を固定する際に用いられる外壁下地部材２。外壁下地部材２は、第１のブラケット部材３，３’と、第２のブラケット部材４，４’と、出隅用ブラケット部材５，５’と、を組み合わせて互いに摺動可能とすることによって、施工性を改善する。【選択図】図１
0003137085.tif 000002
【実用新案登録請求の範囲】
【請求項１】
建築物の壁面の出隅部において使用される外壁下地部材であって、
外壁下地部材は、２組の第１のブラケット部材と、２組の第２のブラケット部材と、２組の出隅用ブラケット部材と、からなる
ことを特徴とする外壁下地部材。
【請求項２】
前記第１のブラケット部材は、基板部と、該基板部から前方へ立設された立設部と、を有し、
前記第２のブラケット部材は、嵌合部を有したスライド部と、該スライド部から側方へ立設された前面部と、を有し、
前記出隅用ブラケット部材は、嵌合部を有したスライド部と、該スライド部から後方へ立設された当接部と、を有する
ことを特徴とする請求項１に記載の外壁下地部材。
【請求項３】
前記第２のブラケット部材は、前記第１のブラケット部材の立設部に挿入される嵌合部と、第２のブラケット部材のスライド部と第１のブラケット部材の立設部とが互いに摺動可能なスライド部と、を有し、該第２のブラケット部材のスライド部と、該第１のブラケット部材の立設部と、は、互いに、回動することなく前後方向にのみ摺動自在であり、
さらに、前記出隅用ブラケット部材は、第２のブラケット部材の前面部に挿入される嵌合部と、出隅用ブラケット部材のスライド部と第２のブラケット部材の前面部とが互いに摺動可能なスライド部と、を有し、該出隅用ブラケット部材のスライド部と、該第２のブラケット部材の前面部と、は、互いに、回動することなく左右方向にのみ摺動自在である
ことを特徴とする請求項２に記載の外壁下地部材。
【請求項４】
前記第１のブラケット部材は、立設部に、前後方向が長辺のリブを有し、
前記第２のブラケット部材の嵌合部の縁端部分は、該リブに略当接されている
ことを特徴とする請求項３に記載の外壁下地部材。
【請求項５】
前記第２のブラケット部材は、前面部に、左右方向が長辺のリブを有し、
前記出隅用ブラケット部材の嵌合部の縁端部分は、該リブに略当接されている
ことを特徴とする請求項３に記載の外壁下地部材。
【請求項６】
前記第１のブラケット部材、または、前記第２のブラケット部材、または、前記出隅用ブラケット部材は、略Ｌ状の形状であることを特徴とする請求項３に記載の外壁下地部材。
【請求項７】
少なくとも片方の前記出隅用ブラケット部材は、相対する他方の出隅用ブラケット部材に、固定されていることを特徴とする請求項３に記載の外壁下地部材。
【考案の詳細な説明】
【技術分野】
【０００１】
本考案は、鉄筋コンクリートやレンガで造られた建築物の壁面の出隅部に、新たな化粧仕上げ壁面を構築するために用いられる外壁下地部材に関するものである。
【背景技術】
【０００２】
一般に、鉄筋コンクリート造やレンガ造の建築物の壁面は、表面に仕上げが施されることはないが、場合によっては、該壁面にモルタルを塗り塗装を施して仕上げ面にすることもある。
いっぽう、既存建築物の壁面を外壁板で改修する場合には、既存壁面に下地材や胴縁を取り付けた後、外壁板を留め付ける施工法が採用されている。
【０００３】
しかし、かかる外壁板施工法には、次のような問題点がある。
胴縁や胴縁固定部材の厚みが大きく、重量が大きいため、クレーンによる取り付け作業を必要とし、作業能率が劣るといった問題がある（特許文献１）。また、既存外壁面と外壁板との間に設ける断熱材が施工できないか、または、断熱材の厚さが限られるといった問題もある（特許文献２）。建築物の出隅部分においても、同様の問題がある（特許文献３）。さらに、施工途中で、下地胴縁やＬ字状下地板が傾いたり回転して、施工効率よく不陸なく施工できないという問題もある（特許文献４）。
同質出隅材を使用する場合、外壁板との左右接合を留め付け金具を使用して行う場合、施工の手間が増え、作業能率が劣るという問題がある。
【０００４】
【特許文献１】実用新案登録第２５９５４２９号
【特許文献２】特公平７−６８７５１
【特許文献３】特開２００６−１５２５７８
【特許文献４】特開平６−３３６８１１
【考案の開示】
【考案が解決しようとする課題】
【０００５】
本考案は、上記の問題点を解決するためになされたものであり、鉄筋コンクリート造やレンガ造の建築物の出隅部の壁面に対して、断熱材を介して、外壁板を安定よく効率よく施工できる外壁下地部材を提供することを目的としている。
【課題を解決するための手段】
【０００６】
本考案の上記目的は、建築物の壁面の出隅部において使用される外壁下地部材であって、
外壁下地部材が、２組の第１のブラケット部材と、２組の第２のブラケット部材と、２組の出隅用ブラケット部材と、からなる
ことを特徴とする外壁下地部材により達成される。
【０００７】
また、本考案の上記目的は、さらに、前記第１のブラケット部材が、基板部と、該基板部から前方へ立設された立設部と、を有し、
前記第２のブラケット部材が、嵌合（かんごう）部を有したスライド部と、該スライド部から側方へ立設された前面部と、を有し、
前記出隅用ブラケット部材が、嵌合部を有したスライド部と、該スライド部から後方へ立設された当接部と、を有する
ことを特徴とする外壁下地部材により、より効果的に達成される。
【０００８】
また、本考案の上記目的は、さらに、前記第２のブラケット部材が、前記第１のブラケット部材の立設部に挿入される嵌合部と、第２のブラケット部材のスライド部と第１のブラケット部材の立設部とが互いに摺動（しゅうどう）可能なスライド部と、を有し、該第２のブラケット部材のスライド部と、該第１のブラケット部材の立設部と、が、互いに、回動することなく前後方向にのみ摺動自在であり、
さらに、前記出隅用ブラケット部材が、第２のブラケット部材の前面部に挿入される嵌合部と、出隅用ブラケット部材のスライド部と第２のブラケット部材の前面部とが互いに摺動可能なスライド部と、を有し、該出隅用ブラケット部材のスライド部と、該第２のブラケット部材の前面部と、が、互いに、回動することなく左右方向にのみ摺動自在である
ことを特徴とする外壁下地部材により、より効果的に達成される。
【０００９】
また、本考案の上記目的は、さらに、前記第１のブラケット部材が、立設部に、前後方向が長辺のリブを有し、
前記第２のブラケット部材の嵌合部の縁端部分は、該リブに略当接されている
ことを特徴とする外壁下地部材により、より効果的に達成される。
【００１０】
また、本考案の上記目的は、さらに、前記第２のブラケット部材が、前面部に、左右方向が長辺のリブを有し、
前記出隅用ブラケット部材の嵌合部の縁端部分が、該リブに略当接されている
ことを特徴とする外壁下地部材により、より効果的に達成される。
【００１１】
また、本考案の上記目的は、さらに、前記第１のブラケット部材、または、前記第２のブラケット部材、または、前記出隅用ブラケット部材が、略Ｌ状の形状であることを特徴とする外壁下地部材により、より効果的に達成される。
【００１２】
また、本考案の上記目的は、さらに、少なくとも片方の前記出隅用ブラケット部材が、相対する他方の出隅用ブラケット部材に、固定されていることを特徴とする外壁下地部材により、より効果的に達成される。
【考案の効果】
【００１３】
本考案にかかる外壁下地部材によれば、外壁下地部材は、軽量であるため、従来のようにクレーンなどの揚重機が不要となり、さらに、人力で施工が可能となるので、施工効率が向上する。また、断熱材を配することができる前後方向の寸法を有し、かつ、ブラケット部材が前後方向に摺動することで外壁下地部材の不陸調整が可能になる。さらに、出隅用ブラケット部材が左右方向に摺動することで、位置調整が可能になり、ついては、外壁下地部材全体が前後左右に位置調整可能になる。また、外壁下地部材が施工途中であっても、上下方向に移動したり、傾いたりすることがなくなり、安定して、外壁下地部材を構築することができる。さらに、胴縁を不陸調整された外壁下地部材に固定することで、窯業系サイディングなどの外壁板を、不陸なく、施工効率よく、留め付け安定よく、施工することができる。
したがって、本考案にかかる外壁下地部材によれば、軽量で、施工効率よく、不陸なく、留め付け安定よく、施工することができるので、その有用性はきわめて高い。
【考案を実施するための最良の形態】
【００１４】
図１から図４に従って、本考案の最適な実施態様について説明する。
図１、図４に、本考案の実施の形態にかかる外壁下地部材、およびそれを用いた外壁施工構造を示す。
図２に、本考案の実施の形態にかかる外壁下地部材を示す。
図３に、本考案の実施の形態にかかる外壁下地部材の一部を示す。
なお、本明細書において、「前」とは建築物の外側方向を、「後」とは建築物の内側方向をいう。また、上記外壁材などに関しては、壁面に取り付けた状態において、「前」、「後」、「上」、「下」、「左」、「右」、「水平」、「垂直」などの表現を用いている。
【００１５】
［実施例］
図１に示すように、外壁下地部材２は、断面視略Ｌ状の第１のブラケット部材３，３’と、同じく断面視略Ｌ状の第２のブラケット部材４，４’と、同じく断面視略Ｌ状の出隅用ブラケット部材５，５’と、で構成される。
外壁下地部材２は、鉄筋コンクリートやレンガなどの壁面８に、あと施工アンカー９１，９１’によって固定される。第１のブラケット部材３，３’と第２のブラケット部材４，４’とは、ボルト９２，９２’、ナット９３，９３’
でもって互いに固定される。また、出隅用ブラケット部材５，５’は、ビス９４，９４でもって互いに固定される。
さらに、断面視略ハット状の胴縁６，６’が、ビス９４，９４’でもって外壁下地部材２の出隅用ブラケット部材５，５’に固定される。そして、窯業系サイディング７，７’と同質出隅材７１とが、留め付け金具Ａ，Ａ，Ａ’，Ａ’と金具用ビス９５，９５，９５’
，９５’とでもって、胴縁６，６’に固定される。
また、窯業系サイディング７，７’と同質出隅材７１との左右接合部すき間に形成される縦目地部Ｂ，Ｂ’の後方には、ハットジョイナーＣ，Ｃ’が設けられており、縦目地部Ｂ，Ｂ’には、湿式シーリング材などの防水材Ｄ，Ｄ’が打設されている。
なお、本実施例では、部材の接合状態を明確にするために、壁面８と窯業系サイディング７，７’との間に施工される断熱材は、便宜上省略して示している。
【００１６】
図２（ａ）、（ｂ）に示すように、外壁下地部材２は、各ブラケット部材相互の嵌合部が、互いに挿入されるように構成されているので（後述する）、前後左右方向に自在に摺動することができる。そのため、壁面８の不陸に対して、位置調節が可能である。すなわち、第２のブラケット部材４，４’の前後方向の位置と、出隅用ブラケット部材５，５’の左右方向の位置と、を自在に調節することができる。また、外壁下地部材２は、ボルト９２，９２’が仮留め状態であっても、下方向に傾斜するなどして上下方向の位置がずれることなく安定した状態でもって、前後左右方向の位置を調節することができる。
なお、片方の出隅用ブラケット部材５’の当接部５２’が、相対する出隅用ブラケット部材５のスライド部５１に、ビス９４，９４でもって固定されていても、外壁下地部材２の全体の前後左右方向の位置を調節することができる。
【００１７】
第２のブラケット部材４，４’は、そのスライド部４１，４１’の上下端部に、嵌合部４１１，４１１，４１１’
，４１１’を有する。嵌合部４１１，４１１，４１１’ ，４１１’は、第１のブラケット部材３，３’の立設部３２，３２’に当接されながら挿入されている。そのため、第２のブラケット部材４，４’は、前後方向に移動できるが、上下方向には移動せず、また回転しない。さらに、嵌合部４１１，４１１，４１１’
，４１１’の縁端部分が第１のブラケット部材３，３’のリブＥ，Ｅ,Ｅ’,Ｅ’にそれぞれ略当接されているため、リブＥ，Ｅ，Ｅ’，Ｅ’がガイドになり、第２のブラケット部材４，４’は、スムーズな摺動が可能になる。また、上下方向の外力が外壁下地部材２に加わった場合であっても、第２のブラケット部材４，４’の嵌合部４１１，４１１，４１１’，４１１’の縁端部分が第１のブラケット部材３，３’のリブＥ，Ｅ，Ｅ’，Ｅ’にそれぞれ略当接されているため、第２のブラケット部材４，４’が上下方向に傾いたり回転することはない。
【００１８】
同様に、出隅用ブラケット部材５，５’も、そのスライド部５１，５１’の上下端部に、嵌合部５１１，５１１，５１１’，５１１’を有する。嵌合部５１１，５１１，５１１’，５１１’は、第２のブラケット部材４，４’の前面部４２，４２’に当接されながら挿入されている。そのため、出隅用ブラケット部材５，５’は、左右方向に移動できるが、上下方向には移動せず、また回転しない。
なお、本実施例では、第２のブラケット部材４，４’の角部４３，４３’に、補強用のリブＦ，Ｆ，Ｆ’，Ｆ’を設けている。また、上記と同様に、第２のブラケット部材４，４’の前面部４２，４２’に左右方向にリブを設け、出隅用ブラケット部材５，５’の嵌合部５１１，５１１，５１１’，５１１’の縁端部分をリブにそれぞれ略当接させてもよい。この場合も、出隅用ブラケット部材５，５’は、スムーズな摺動が可能となり傾きや回転の防止効果がある。
【００１９】
図３（ａ）、（ｂ）、（ｃ）に示すように、施工の順番においては、第２のブラケット部材４が、第１のブラケット部材３の立設部３２に当接されながら挿入された後、出隅用ブラケット部材５が、第２のブラケット部材４の前面部４２に当接されながら挿入される。
場合によっては、初めに、第２のブラケット部材４の前後方向の不陸調整を行い、第２のブラケット部材４を第１のブラケット部材３に固定して、そのあとで、出隅用ブラケット部材５の左右方向の位置調整を行ってもよい。各ブラケット部材が施工の途中であっても、また、あと施工アンカー９１を除く他のボルトなどが仮留め状態であっても、各ブラケット部材が傾いたり回転することはない。
出隅用ブラケット部材５のスライド部５１には、ビスなどの突出するものがない。胴縁６は、外壁下地部材２を構成する出隅用ブラケット部材５のスライド部５１の自由な位置に、不陸なく固定される（図１参照）。出隅用ブラケット部材５のスライド部５１と、第２のブラケット部材４の前面部４２と、が、互いにビスなどで固定されなくてもよい。しかし、外壁下地部材２全体の強度をさらに向上させる場合には、それらがビスなどで固定されることが好ましい。
また、図３（ｂ）に示すように、リブＧが、出隅用ブラケット部材５のスライド部５１の右側端部の後方側に凸条に設けられてもよい。リブＧは、抜け落ち防止の効果を有する。図３（ｃ）に示すように、出隅用ブラケット部材５の嵌合部５１１が、第２のブラケット部材４の前面部４２に挿入されて、出隅用ブラケット部材５が右方向に移動される。図３（ｄ）に示すように、出隅用ブラケット部材５のリブＧの位置が、第２のブラケット部材４の角部４３よりも右側に達したあとは、出隅用ブラケット部材５を左方向に移動させようとしても、リブＧと角部４３とが当接するので、出隅用ブラケット部材５は、左方向に移動されなくなる。つまり出隅用ブラケット部材５が、第２のブラケット部材４に挿入され、いったん右方向に長く移動されると、出隅用ブラケット部材５は、第２のブラケット部材４から容易に分離されなくなる。リブＧを設けることにより、出隅用ブラケット部材５の施工中の抜け落ちを防止でき、施工の能率が向上する。
【００２０】
図４に示すように、多数の外壁下地部材２は、上下方向に間隔をあけて、多数のあと施工アンカー９１でもって、壁面８に固定される。胴縁６，６は、多数のビス９４でもって、多数の外壁下地部材２の出隅用ブラケット５に固定される。
さらに、多数の窯業系サイディング７および同質出隅材７１の上端面には、下実（したざね）７２が形成されている。下端面には、前記下実７２に対応する上実（うわざね）７３が形成されている。多数の窯業系サイディング７および同質出隅材７１の上端面は、下実７２に留め付け金具Ａが係合されている。この留め付け金具Ａは、金具用ビス９５でもって胴縁６，６の取り付け面６２，６２に固定されている。またこの上端面の下実７２に対して、上位の窯業系サイディング７および同質出隅材７１の下端面の上実７３が、嵌合装着されている。（図１参照）
【００２１】
なお、外壁下地部材は、強度や耐久性などを考慮すると、鉄や溶融亜鉛めっき鋼板、ステンレス鋼板などの金属板を折り曲げ加工したものが好ましい。そして、外壁下地部材の板そのものの厚さは、外力が伝達されても容易に変形・破壊されない厚さが望ましい。例を示すと、鉄などの金属板の場合１．２ｍｍ以上が望ましい。
【００２２】
また、第１のブラケット部材、第２のブラケット部材、出隅用ブラケット部材の形状は、Ｌ型以外に、Ｔ字状などの形状がある。断熱材を配する空間を確保でき、かつ、強度が充分にあり、嵌合部を有するスライド部を有し、摺動可能であり、かつまた、互いに固定できるものであれば、凸状のいかなる形状であってもよい。さらに、各ブラケット部材は、ボルト、ナット、ビスなどの固定具で固定されることが好ましい。また、材質が鉄などの場合、溶接によって互いに固定されてもよい。
【図面の簡単な説明】
【００２３】
【図１】本考案の実施例にかかる外壁下地部材、および外壁施工構造を示す斜視図。
【図２】本考案の実施例にかかる外壁下地部材を示す（ａ）斜視図１、（ｂ）斜視図２、（ｃ）ａ−ａ断面図、（ｄ）ｂ−ｂ断面図。
【図３】本考案の実施例にかかる外壁下地部材の一部を示す（ａ）斜視図１、（ｂ）斜視図２、（ｃ）斜視図３、（ｄ）斜視図４、（ｅ）ａ−ａ断面図、（ｆ）ｂ−ｂ断面図、（ｇ）ｃ−ｃ側面図。
【図４】本考案の実施例にかかる外壁下地部材、および外壁施工構造を示す垂直断面図。
【符号の説明】
【００２４】
２              …外壁下地部材
３  ３’        …第１のブラケット部材
３１  ３１’    …第１のブラケット部材３の基板部
３１１  ３１１’…第１のブラケット部材３の基板部３１の長孔
３２  ３２’    …第１のブラケット部材３の立設部
３２１  ３２１’…第１のブラケット部材３の立設部３２の孔
４  ４’        …第２のブラケット部材
４１  ４１’    …第２のブラケット部材４のスライド部
４１１  ４１１’…第２のブラケット部材４のスライド部４１の嵌合部
４１２  ４１２’…第２のブラケット部材４のスライド部４１の長孔
４２  ４２’    …第２のブラケット部材４の前面部
４３  ４３’    …第２のブラケット部材４の角部
５  ５’        …出隅用ブラケット部材
５１  ５１’    …出隅用ブラケット部材５のスライド部
５１１  ５１１’…出隅用ブラケット部材５のスライド部５１の嵌合部
５２  ５２’    …出隅用ブラケット部材５の当接部
６  ６’        …胴縁
６１  ６１’    …胴縁６の固定面
６２  ６２’    …胴縁６の取り付け面
７  ７’        …窯業系サイディング（外壁板）
７１            …同質出隅材
７２  ７２’    …下実
７３  ７３’    …上実
８              …壁面
９  ９’        …固定具
９１  ９１’    …あと施工アンカー
９２  ９２’    …ボルト
９３  ９３’    …ナット
９４  ９４’    …ビス
９５  ９５’    …金具用ビス
Ａ  Ａ’        …留め付け金具
Ｂ  Ｂ’        …縦目地部
Ｃ  Ｃ’        …ハットジョイナー
Ｄ  Ｄ’        …防水材
Ｅ  Ｅ’        …リブ
Ｆ  Ｆ’        …リブ
Ｇ              …リブ
【図１】
0003137085.tif 000003
【図２】
0003137085.tif 000004
【図３】
0003137085.tif 000005
【図４】
0003137085.tif 000006
【手続補正書】
【提出日】平成19年9月6日(2007.9.6)
【手続補正１】
【補正対象書類名】実用新案登録請求の範囲
【補正対象項目名】請求項１
【補正方法】変更
【補正の内容】
【請求項１】
建築物の壁面の出隅部において使用される外壁下地部材であって、
外壁下地部材は、２組の第１のブラケット部材と、２組の第２のブラケット部材と、２組の出隅用ブラケット部材と、からなり、
第１のブラケット部材と第２のブラケット部材とは、当接状態で、かつ、互いに回動することなく摺動自在であり、
第２のブラケット部材と出隅用ブラケット部材とは、当接状態で、かつ、互いに回動することなく摺動自在である
ことを特徴とする外壁下地部材。
【手続補正２】
【補正対象書類名】明細書
【補正対象項目名】０００６
【補正方法】変更
【補正の内容】
【０００６】
本考案の上記目的は、建築物の壁面の出隅部において使用される外壁下地部材であって、
外壁下地部材が、２組の第１のブラケット部材と、２組の第２のブラケット部材と、２組の出隅用ブラケット部材と、からなり、
第１のブラケット部材と第２のブラケット部材とが、当接状態で、かつ、互いに回動することなく摺動自在であり、
第２のブラケット部材と出隅用ブラケット部材とが、当接状態で、かつ、互いに回動することなく摺動自在である
ことを特徴とする外壁下地部材により達成される。